(57)【特許請求の範囲】
【請求項１】
既存のカウンターシステムの上部に備えられるカウンター部の表面を覆うように、該カウンター部に取り付けられるリフォーム用カウンターカバーであって、
前記カウンター部の上面側を覆う天板部と、
前記天板部のエッジ部の少なくとも一部から下方に向けて延出し、前記カウンター部の前面側を覆う前板部と、を有し、
前記天板部は、前記カウンター部に対して、スペーサー部材を介して取り付けられ、
前記スペーサー部材は、複数の樹脂シートが積層された積層体からなり、前記樹脂シートが１枚単位で剥離・除去可能であることを特徴とするリフォーム用カウンターカバー。
【請求項２】
さらに、前記天板部のエッジ部の少なくとも一部から下方に向けて延出し、前記カウンター部の側面側を覆う横板部が備えられており、
さらに、前記天板部のエッジ部における、前記前板部と反対の後ろ側には、上方に向けて延出するバックガード部が備えられていることを特徴とする請求項１に記載のリフォーム用カウンターカバー。
【請求項３】
前記リフォーム用カウンターカバーと前記スペーサー部材との間、又は、前記スペーサー部材と前記カウンター部との間が、両面テープで接着されていることを特徴とする請求項１又は請求項２に記載のリフォーム用カウンターカバー。
【請求項４】
前記カウンターシステムが、前記カウンター部の上面に開口したシンクを備えるシステムキッチンであり、
前記天板部に、前記シンクに対応する位置で、該シンクを露出させるシンク用貫通孔が設けられており、
前記天板部は、前記シンク用貫通孔の縁部が、下方に向けて凸状に設けられているとともに、前記縁部にシール部材が備えられていることを特徴とする請求項１〜請求項３の何れか一項に記載のリフォーム用カウンターカバー。
【請求項５】
前記カウンターシステムが、前記カウンター部の上面側にレンジを備えるシステムキッチンであり、
前記天板部に、前記レンジに対応する位置で、該レンジを露出させるレンジ用貫通孔が設けられており、
さらに、前記天板部は、前記エッジ部の少なくとも一部にシール部材が備えられていることを特徴とする請求項１〜請求項４に記載のリフォーム用カウンターカバー。
【請求項６】
請求項１〜請求項５の何れか一項に記載のリフォーム用カウンターカバーを用いて、既存のカウンターシステムに備えられるカウンター部の表面を覆うことを特徴とする、カウンターシステムのリフォーム方法。
【発明の詳細な説明】
【技術分野】
【０００１】
本発明は、リフォーム用カウンターカバー、及び、それを用いたカウンターシステムのリフォーム方法に関する。
【背景技術】
【０００２】
例えば、来客対応に用いられるカウンター卓に備えられるカウンター天板や、システムキッチン等においてシンク周辺の天板として設けられるキッチンカウンター（カウンター部）は、多くの来訪者に対応して筆記等が頻繁に行われるか、あるいは、水や加熱レンジを用いた調理や水仕事等が行われる。そのため、上記の各種カウンターシステムは、長期間にわたって使用することにより、その表面が汚れる機会が多く、特にシステムキッチンに備えられるカウンター部の場合には、水垢や食べ物の残渣等による汚れの他、加熱レンジの熱による傷みが生じ、美観が著しく損なわれるという問題がある。
【０００３】
カウンター部を有するシステムキッチンとして、例えば、特許文献１に記載のものが挙げられ、その他、多彩な意匠を有するシステムキッチンが多数提案されている。
ここで、例えば、賃貸住宅等に備え付けられているシステムキッチンは、入居者が入れ替わる度に、美麗な状態に復帰させることが求められ、念入りなクリーニングが行われるが、カウンター部の表面における汚れや傷みが進んだ場合には、一般的なハウスクリーニング程度の処理方法では対処が困難になる。
【０００４】
一方、従来、カウンター部の表面における汚れや傷みが進んだ場合には、システムキッチン全体を交換する方法が考えられる。この場合、例えば、システムキッチンにおけるカウンター部以外の部分に汚れや傷みが少ないケースであっても、カウンターシステム全体を交換することになることから、リフォーム費用や工期が増大するという問題がある。
【０００５】
ここで、例えば、システムキッチンのカウンター部のみを取り外して交換することで、他の部分を残存させるリフォーム工事を行うことも考えられる。しかしながら、一般的なシステムキッチンは、ステンレスからなるカウンター部とキャビネット部との間が嵌合や接着等によって一体化されていることが多いため、カウンター部のみを取り外して交換する場合には、古いカウンター部の解体及び新しいカウンター部の設置に手間がかかるとともに、リフォーム費用も増大するという問題がある。
【先行技術文献】
【特許文献】
【０００６】
【特許文献１】特許第４７９６４３８号公報
【発明の概要】
【発明が解決しようとする課題】
【０００７】
本発明は上記課題に鑑みてなされたものであり、カウンター部の汚れや傷みが顕著になった場合でも、複雑な工事を伴うことなく、簡便な方法で安価にリフォームを行うことが可能な、リフォーム用カウンターカバー及びカウンターシステムのリフォーム方法を提供することを目的とする。
【課題を解決するための手段】
【０００８】
上記課題を解決するため、本発明は、既存のカウンターシステムの上部に備えられるカウンター部の表面を覆うように、該カウンター部に取り付けられるリフォーム用カウンターカバーであって、前記カウンター部の上面側を覆う天板部と、前記天板部のエッジ部の少なくとも一部から下方に向けて延出し、前記カウンター部の前面側を覆う前板部と、を有し、前記天板部は、前記カウンター部に対して、スペーサー部材を介して取り付けられ、前記スペーサー部材は、複数の樹脂シートが積層された積層体からなり、前記樹脂シートが１枚単位で剥離・除去可能であることを特徴とする。
【０００９】
本発明によれば、既存のカウンターシステムの上部に備えられるカウンター部の表面が、例えば長期期間に渡る使用により、汚れや傷み等の外観劣化が進んだ場合に、カウンター部の上に被せて取り付けることで、劣化した上面及び前面を覆い隠し、美麗な外観にリフォームすることができる。これにより、複雑な工事を伴うことなく、簡便な方法で安価にカウンター部のリフォームを行うことが可能になる。また、例えば、表面が凹凸に形成されたカウンター部をリフォームする場合においても、カウンター部とリフォーム用カウンターカバーとの段差・隙間にスペーサー部材を挟み込むことで、安定した状態でリフォーム用カウンターカバーを取り付けることが可能となる。
【００１０】
本発明のリフォーム用カウンターカバーは、上記構成において、さらに、前記天板部のエッジ部の少なくとも一部から下方に向けて延出し、前記カウンター部の側面側を覆う横板部が備えられており、さらに、前記天板部のエッジ部における、前記前板部と反対の後ろ側には、上方に向けて延出するバックガード部が備えられている構成としてもよい。
本発明によれば、上記の横板部を備えることで、劣化したカウンター部の上面及び前面に加え、さらに側面を覆い隠して美麗な外観にリフォームすることができる。
【００１１】
また、本発明によれば、上記のバックガード部を備えることで、劣化したカウンター部の上面及び前面等に加え、例えば、カウンターシステムの後方に位置する壁等を覆い隠して、この部分を美麗な外観にリフォームすることができる。従って、カウンター部のみならず、カウンターシステムの後方の壁等における汚れや傷みが顕著な場合においても、カウンター部と同時に、簡便な方法で安価にリフォームを行うことが可能になる。
【００１２】
本発明のリフォーム用カウンターカバーは、上記構成において、前記天板部が、前記カウンター部に対して、接着又は粘着によって取り付けられる構成としてもよい。
本発明によれば、カウンター部をリフォームするにあたり、カウンター部にリフォーム用カウンターカバーを接着又は粘着して取り付けることで、簡便な方法で確実に固定することが可能となる。
【００１３】
本発明のリフォーム用カウンターカバーは、上記構成において、前記天板部が、前記カウンター部に対して、滑り止めシートを介して取り付けられる構成としてもよい。
本発明によれば、カウンター部をリフォームするにあたり、カウンター部とリフォーム用カウンターカバーとの間に滑り止めシートを介在させることで、カウンター部とリフォーム用カウンターカバーとの間を接着固定しない場合であっても、リフォーム用カウンターカバーがずれ落ちたりするのを防止できる。
【００１４】
本発明のリフォーム用カウンターカバーは、上記構成において、前記リフォーム用カウンターカバーと前記スペーサー部材との間、又は、前記スペーサー部材と前記カウンター部との間が、両面テープで接着されている構成としてもよい。
【００１５】
本発明のリフォーム用カウンターカバーは、上記構成において、前記カウンターシステムが、前記カウンター部の上面に開口したシンクを備えるシステムキッチンであり、前記天板部に、前記シンクに対応する位置で、該シンクを露出させるシンク用貫通孔が設けられており、前記天板部は、前記シンク用貫通孔の縁部が、下方に向けて凸状に設けられているとともに、前記縁部にシール部材が備えられている構成としてもよい。
本発明によれば、システムキッチンのカウンター部にリフォーム用カウンターカバーを取り付ける場合において、シンクの機能を維持しながら、簡便且つ安価な方法で、汚れや傷み等の外観劣化が進んだカウンター部の表面を覆い隠し、美麗な外観にリフォームすることができる。
【００１６】
また、本発明によれば、シンク用貫通孔の縁部が、下方に向けて折り返すように凸状に設けられていることで、シンクの周縁部がカウンター部の上面よりも低く形成され、段差が設けられている場合に、この段差の位置に凸状の縁部が収容されることで、シンク周りの美観が向上する。また、シンク用貫通孔の縁部が、厚みのある凸状に設けられていることで、シンク用貫通孔の周辺部における強度が向上する。
【００１７】
また、本発明によれば、シンク用貫通孔の縁部にシール部材が備えられることで、シンク用貫通孔からカウンター部とリフォーム用カウンターカバーとの間に水が浸入するのを防止できる。これにより、リフォーム用カウンターカバーに覆われたカウンター部が腐食等で劣化するのを抑制することが可能となる。
【００１８】
本発明のリフォーム用カウンターカバーは、上記構成において、前記カウンターシステムが、前記カウンター部の上面側にレンジを備えるシステムキッチンであり、前記天板部に、前記レンジに対応する位置で、該レンジを露出させるレンジ用貫通孔が設けられており、さらに、前記天板部は、前記エッジ部の少なくとも一部にシール部材が備えられている構成としてもよい。
本発明によれば、上記同様、システムキッチンのカウンター部にリフォーム用カウンターカバーを取り付ける場合において、レンジの機能を維持しながら、簡便且つ安価な方法で、汚れや傷み等の外観劣化が進んだカウンター部の表面を覆い隠し、美麗な外観にリフォームすることができる。
【００１９】
また、本発明によれば、エッジ部の少なくとも一部にシール部材が備えられることで、例えば、システムキッチンのカウンター部にリフォーム用カウンターカバーを取り付ける場合において、システムキッチンと壁との間に水が浸入するのを防止できる。これにより、システムキッチンや壁が腐食等で劣化するのを抑制することが可能となる。
【００２０】
さらに、上記課題を解決するため、本発明のカウンターシステムのリフォーム方法は、上記の内の何れかのリフォーム用カウンターカバーを用いて、既存のカウンターシステムに備えられるカウンター部の表面を覆うことを特徴とする。
本発明によれば、上述した本発明のリフォーム用カウンターカバーをカウンター部に取り付けてリフォームを行う方法なので、上記同様、既存のカウンターシステムのカウンター部の表面において汚れや傷み等の外観劣化が進んだ場合に、劣化した上面及び前面を覆い隠し、美麗な外観にリフォームすることができる。これにより、複雑な工事を伴うことなく、簡便な方法で安価にカウンター部のリフォームを行うことが可能になる。
【発明の効果】
【００２１】
本発明に係るリフォーム用カウンターカバーによれば、既存のカウンターシステムに備えられるカウンター部の表面において汚れや傷み等の外観劣化が進んだ場合に、カウンター部の上に被せて取り付けることで、劣化した表面を覆い隠し、美麗な外観にリフォームすることができる。これにより、複雑な工事を伴うことなく、簡便な方法で安価にカウンター部のリフォームを行うことが可能になる。
また、本発明に係るカウンターシステムのリフォーム方法によれば、本発明に係るリフォーム用カウンターカバーを用いてリフォームを行う方法なので、上記同様、複雑な工事を伴うことなく、簡便な方法で安価にカウンター部のリフォームを行うことが可能になる。
【図面の簡単な説明】
【００２２】
【図１】本発明の一実施形態であるリフォーム用カウンターカバーについて説明する模式図であり、シンクを有するシステムキッチンに備えられるカウンター部に、リフォーム用カウンターカバーを取り付けた状態を示す斜視図である。
【図２】本発明の一実施形態であるリフォーム用カウンターカバーについて説明する模式図であり、図１中に示したリフォーム用カウンターカバーを単体で示す図で、（ａ）は上面側から見た平面図、（ｂ）は前面側から見た正面図、（ｃ）及び（ｄ）はそれぞれ側面図である。
【図３】本発明の一実施形態であるリフォーム用カウンターカバーについて説明する模式図であり、シンク及びレンジを有するシステムキッチンに備えられるカウンター部に、リフォーム用カウンターカバーを取り付けた状態を示す斜視図である。
【図４】本発明の一実施形態であるリフォーム用カウンターカバーについて説明する模式図であり、図３中に示したリフォーム用カウンターカバーを単体で示す図で、（ａ）は上面側から見た平面図、（ｂ）は前面側から見た正面図、（ｃ）は側面図である。
【図５】本発明の一実施形態であるカウンターシステムのリフォーム方法について説明する模式図であり、レンジを有するシステムキッチンに備えられるカウンター部の表面に、スペーサー部材及びシール部材を配置した状態を示す平面図である。
【図６】本発明に係るリフォーム用カウンターカバーを用いたリフォーム方法を適用可能なシステムキッチンの一例を示す斜視図である。
【発明を実施するための形態】
【００２３】
以下、本発明に係るリフォーム用カウンターカバー及びカウンターシステムのリフォーム方法の実施の形態について、図１〜図６を適宜参照しながら説明する。なお、以下の説明で用いる図面は、その特徴をわかりやすくするために、便宜上、特徴となる部分を拡大して示している場合があり、各構成要素の寸法比率等は、実際とは異なることがある。図１はシステムキッチン５０のカウンター部５１にリフォーム用カウンターカバー１を取り付けた状態を示す斜視図で、図２（ａ）〜（ｄ）は図１中に示したリフォーム用カウンターカバー１を単体で示す図である。図３はシステムキッチン１５０のカウンター部１５１にリフォーム用カウンターカバー１１を取り付けた状態を示す斜視図で、図４（ａ）〜（ｃ）は図３中に示したリフォーム用カウンターカバー１１を単体で示す図である。図５はカウンター部５１をリフォームするにあたり、カウンター部５１の表面５１Ａにスペーサー部材７及びシール部材８，９を配置した状態を示す平面図である。図６は本発明に係るリフォーム用カウンターカバーを用いたリフォーム方法を適用可能なシステムキッチンの一例を示す斜視図である。
【００２４】
＜カウンターシステム（システムキッチン等）＞
本実施形態のリフォーム用カウンターカバーは、カウンターシステムの上部に備えられるカウンター部のリフォームに用いられるものであり、例えば、システムキッチンの他、企業の受付用カウンターや、一般家屋内において壁付で設置される家具調カウンター等、幅広く適用できるものである。具体的には、例えば、図６（図１も参照）に示すようなシステムキッチン（カウンターシステム）５０の上部に備えられるカウンター部５１、あるいは、図３に示すようなシステムキッチン１５０の上部に備えられるカウンター部１５１のリフォームに、本実施形態のリフォーム用カウンターカバーを適用することが可能である。
【００２５】
図６に例示するシステムキッチン５０は、奥行き方向に比べて幅方向が長尺である、概略で箱状に構成されており、前面側に開閉扉５０ａ及び開閉引出し５０ｂを備えたキッチンキャビネットが設けられている。また、図示例のシステムキッチン５０は、キッチンキャビネット（開閉扉５０ａ及び開閉引出し５０ｂ）の上板となるカウンター部５１に凹状のシンク５２が設けられており、このシンク５２は、カウンター部５１において概略で左側に寄った位置に設けられている。また、図示例のカウンター部５１は、平面視で矩形状（長方形状）とされている。
【００２６】
このようなシステムキッチン５０に用いられるカウンター部５１としては、一般に、シンク５２と一体成形されたステンレス製のものが用いられることが多いが、近年では、耐熱性や表面耐性の高い樹脂材料（例えば、人工大理石のようなアクリル系樹脂材料）からなる成形品が用いられることもある。また、カウンター部５１の上面５１ａは、作業領域あるいは食器保管領域としての水捌け性等を考慮し、凸部５１Ｂによる段差を含んだ凹凸形状とされていることもある。
【００２７】
図１に示すように、本実施形態のリフォーム用カウンターカバー（以下、単にカウンターカバーと略称する場合がある）１は、カウンター部５１の表面５１Ａに取り付けられるものであり、汚れや傷み等の外観劣化が進行した表面５１Ａを覆い隠すことで、美麗な外観を確保するリフォームを行うことが可能なものである。また、図１中に示すカウンターカバー１には、シンク用貫通孔２２が設けられており、このシンク用貫通孔２２からシンク５２が露出するように構成されている。
【００２８】
また、図３に示す例のシステムキッチン１５０においては、カウンター部１５１において、シンク１５３に加え、さらに、レンジ１５３が備えられている。図３に例示するシステムキッチン１５０は、図１に示したシステムキッチン５０に比べて幅広に構成され、正面側から見てシンク１５２の左側に、レンジ１５３が設けられている。
【００２９】
図３中に示すシステムキッチン１５０には、カウンター部１５１の表面１５１Ａにリフォーム用カウンターカバー（以下、単にカウンターカバーと略称する場合がある）１１が取り付けられている。図示例のように、このカウンターカバー１１には、シンク１５３を露出させるためのシンク用貫通孔１２Ａに加え、さらに、カウンター部１５１の表面１５１Ａから突出して設けられるレンジ１５３が露出させるためのレンジ用貫通孔１２Ｂが設けられている。
【００３０】
本実施形態のリフォーム用カウンターカバー１，１１によれば、カウンター部５１，１５１の上に被せて取り付けることで、汚れや傷み等の外観劣化が進行したカウンター部５１，１５１の表面を覆い隠すことができる。これにより、例えば、傷や汚れが目立つカウンター部５１，１５１をリフォームするにあたり、システムキッチン５０，１５０全体を交換したり、あるいは、カウンター部５１，１５１を外して交換したりするような複雑な工事を行うことなく、簡便且つ安価に美麗な外観を確保するリフォームを行うことが可能なものである。
【００３１】
＜リフォーム用カウンターカバー（カウンターカバー）＞
以下、本実施形態のリフォーム用カウンターカバーについて詳述する。なお、以下の説明においては、リフォーム用カウンターカバーとして、上述したような、システムキッチン５０，１５０に備えられるカウンター部５１，１５１のリフォームに適用可能なリフォーム用カウンターカバー１，１１を例に挙げて説明する。
【００３２】
図１及び図２（ａ）〜（ｄ）に示す本実施形態のカウンターカバー１は、既存のシステムキッチン５０の上部に備えられるカウンター部５１の表面５１Ａを覆うように、このカウンター部５１に取り付けられるリフォーム用のカウンターカバーである。そして、カウンターカバー１は、システムキッチン５０に備えられるカウンター部５１の上面５１ａ側を覆う天板部２と、天板部２のエッジ部２１の少なくとも一部、図示例では、カウンター部５１の前面５１ｂに対応する位置のエッジ部２１（２１ａ）から下方に向けて延出し、カウンター部５１の前面５１ｂ側を覆う前板部３とを有し、概略構成される。
【００３３】
天板部２は、平面視で矩形状の板状に形成されており、図１及び図２（ａ）〜（ｄ）に示す例では、システムキッチン５０の全体形状に合わせて、奥行き方向に比べて幅方向が長尺に構成されている。即ち、天板部２は、４箇所（平面視で４辺）のエッジ部２１のうち、カウンター部５１の前後の位置に対応するエッジ部２１ａ，２１ｂが、カウンター部５１の両側面に対応するエッジ部２１ｃ，２１ｄよりも長尺とされている。
また、図示例の天板部２には、システムキッチン５０のカウンター部５１の上面に開口したシンク５２に対応する位置で、このシンク５２を露出させることで該シンク５２の機能を維持するためのシンク用貫通孔２２が設けられている。
【００３４】
前板部３は、天板部２のエッジ部２１のうち、カウンター部５１の前面５１ｂに対応するエッジ部２１ａから下方に向けて延出し、細長で板状に構成されている。即ち、前板部３は、天板部２と同じ幅寸法とされ、カウンター部５１の前面５１ｂを覆うことが可能な程度の縦寸法とされている。
【００３５】
また、図１及び図２（ａ）〜（ｄ）に示す例のカウンターカバー１には、さらに、カウンター部５１の右側面に対応する位置のエッジ部２１ｃ側からから下方に向けて延出し、カウンター部５１の一方の側面５１ｃ側を覆う横板部４が備えられている。
【００３６】
さらに、図示例のカウンターカバー１には、天板部２のカウンター部５１の後ろ側の位置に対応するエッジ部２１ｂから、上方に向けて延出・立設されるバックガード部５が備えられている。このバックガード部５は、例えば、システムキッチン５０の後方に位置する図示略の壁を覆い隠して、この部分を美麗な外観にリフォームすることができるものである。また、図２（ａ）及び図２（ｃ）に示すように、バックガード部５は、このバックガード部５と壁との間の隙間を覆うため、幅方向で一方の端部側がＬ字状に形成されている。
【００３７】
本実施形態のカウンターカバー１は、例えば、加熱後の鍋が置かれたりする等、過酷な条件下でされることから、アクリル樹脂やポリエステル樹脂を主成分とした、所謂人工大理石と呼ばれる樹脂成形品からなることが好ましい。上記樹脂材料からなる樹脂成形品をカウンターカバー１に用いることにより、耐熱性や表面耐性（耐傷）に優れるとともに、美観にも優れるものとなる。また、カウンターカバー１は、例えば、天板部２に対して前板部３等を接着する方法で製造してもよいが、これらを一体成形することが、生産性の観点から好ましい。
また、カウンターカバー１を構成する各部の厚みも特に限定されないが、概ね数ｍｍ〜１０ｍｍの範囲、例えば８ｍｍ程度の厚み寸法とすることが、強度や取り扱い性（重量等）、コスト等の観点から好ましい。
【００３８】
本実施形態のカウンターカバー１は、図１及び図２に示す例のように、天板部２において、シンク用貫通孔２２の縁部２２ａが下方に向けて凸状とされ、肉厚に形成されていることが好ましい。このように、シンク用貫通孔２２の縁部２２ａが凸状に形成されていることで、例えば、システムキッチンに備えられるシンクの周縁部が、カウンター部の上面よりも低く形成され、段差が設けられている場合に、この段差の位置に凸状の縁部２２ａが収容されることで、シンク周りの美観が向上する。また、シンク用貫通孔２２の縁部２２ａが、厚みのある凸状に設けられていることで、シンク用貫通孔２２の周辺部における強度が向上する。
【００３９】
本実施形態のカウンターカバー１をカウンター部５１に取り付けるときは、システムキッチン５０の上方から、カウンター部５１に覆い被せるように設置することで取り付けることができる。このように、本実施形態のカウンターカバー１によれば、複雑な工事を伴うことなく、簡便な方法で安価にカウンター部５１のリフォームを行うことが可能になる。
【００４０】
本実施形態のカウンターカバー１によれば、カウンター部５１の表面５１Ａにおいて汚れや傷み等による外観劣化が進んだ場合に、カウンター部５１の上に被せて取り付けることで、劣化した上面５１ａ及び前面５１ｂに加え、さらに一方の側面５１ｃを覆い隠すことで、美麗な外観にリフォームすることができる。さらに、上記構成のカウンターカバー１によれば、上記のバックガード部５を備えることで、システムキッチン５０の後方に位置する図示略の壁を覆い隠すことができるので、システムキッチン５０の周辺部についても美麗な外観にリフォームすることができる。
【００４１】
なお、カウンターカバー１のカウンター部５１への取り付け方法としては、カウンターカバー１にずれが生じない方法であれば、特に限定されないが、例えば、天板部２を、カウンター部５１に対して接着して取り付ける方法を採用することができる。この際の接着方法としては、例えば、接着剤や粘着剤、両面テープ等を用いた方法が挙げられる。このように、カウンター部５１をリフォームするにあたり、カウンター部５１にカウンターカバー１を接着して取り付けた場合には、簡便な方法で、カウンターカバー１を確実に固定することが可能となる。
【００４２】
一方、システムキッチン５０の設置形態によっては、カウンター部５１にカウンターカバー１を接着することが好ましくないケースもある。このようなケースとしては、例えば、退去時の現状復帰処理が求められるアパートやマンション等の賃貸住宅に設置されたシステムキッチンが挙げられる。このような場合には、例えば、天板部２を、カウンター部５１に対して、図示略の滑り止めシートを介して設置する方法を採用することが好ましい。このような滑り止めシートとしては、例えば、従来公知のゴムシート等が挙げられる。
【００４３】
上記の滑り止めシートを使用する場合には、例えば、予め、天板部２の裏面２Ｂ側の複数箇所に滑り止めシートを貼着しておき、この状態で、カウンター部５１の表面５１Ａを覆うようにカウンターカバー１を載置する。これにより、カウンター部５１に対してカウンターカバー１を接着しない場合であっても、カウンターカバー１がずれ落ちたりするのを防止することが可能になる。また、カウンター部５１の表面５１Ａには接着剤等が付着することが無いので、賃貸住宅等における退去時の現状復帰が容易になる。
【００４４】
なお、設置上の事情等により、天板部２をカウンター部５１に対して接着しなければならない場合には、カウンターカバー１をカウンター部５１から取り外して現状復帰させる際の残渣処理が容易である点を考慮し、両面テープを用いることがより好ましい。
【００４５】
さらに、本実施形態においては、天板部２を、カウンター部５１に対して、図５中に示すようなスペーサー部材７を介して取り付ける方法を採用してもよい。これにより、例えば、表面５１Ａが窪みや段差等によって凹凸に形成されたカウンター部５１をリフォームする場合においても、カウンター部５１とカウンターカバー１との隙間にスペーサー部材７を挟み込むことで、安定した設置状態でカウンターカバー１を取り付けることが可能となる。
【００４６】
上記のスペーサー部材７としては、特に限定されるものではなく、例えば、図５中においては詳細な図示を省略しているが、複数の樹脂シートが積層されたものを用いることができる。このような積層体からなるスペーサー部材７を用い、積層された樹脂シートを、必要に応じて１枚単位で剥離・除去することにより、カウンター部５１の表面５１Ａの凹凸形状や寸法に合わせて、スペーサー部材７の厚み寸法を適正化することができる。
【００４７】
ここで、図６に示すシステムキッチン５０のように、カウンター部５１の上面５１ａは、凸部５１Ｂ等による段差を含んだ凹凸形状とされていることがある。このようなカウンター部５１に対し、カウンターカバー１を安定した状態で取り付けるためには、スペーサー部材７として、高さ（厚み）を調整することが可能なスペーサー部材を用いることがより好ましい。
【００４８】
なお、カウンター部５１とカウンターカバー１との隙間にスペーサー部材７を介在させる場合には、カウンターカバー１とスペーサー部材７との間、又は、スペーサー部材７とカウンター部５１との間の各々を、両面テープで接着することが、設置安定性の観点から好ましい。また、スペーサー部材７は、カウンターカバー１及びカウンター部５１の何れに固定してもよい。さらに、本実施形態においては、スペーサー部材７と、上記の滑り止めシートを用いた方法、並びに、接着又は粘着する方法を併用してもよい。
【００４９】
また、本実施形態のカウンターカバー１においては、天板部２に設けられたシンク用貫通孔２２の縁部２２ａに、図５中に示したシール部材８が備えられている構成とすることが好ましい。このように、シンク用貫通孔２２の縁部２２ａにシール部材８が備えられることで、システムキッチン５０のシンク５２で水を使用した際に、シンク用貫通孔２２から、カウンター部５１とカウンターカバー１との間に水が浸入するのを防止できるので、カウンターカバー１に覆われたカウンター部５１が腐食等で劣化するのを抑制できる。上記のシール部材８としては、従来から水のシール用途等に用いられている従来公知の防水材料からなるものを、何ら制限無く用いることができる。
【００５０】
さらに、本実施形態のカウンターカバー１においては、天板部２は、エッジ部２１の少なくとも一部、具体的には、システムキッチン５０が近接設置される図示略の壁に対応する位置のエッジ部２１ｂ，２１ｄに、図５中に示すシール部材９が備えられていることが好ましい。図５においては、カウンター部５１をリフォームするにあたり、カウンター部５１の周縁部全体に沿うようにシール部材９を配置した例を示しており、カウンター部５１にカウンターカバー１を取り付けることで、該カウンターカバー１のエッジ部２１ａ〜２１ｄ近傍にシール部材９が重ね合わせられた状態となる。
【００５１】
上述のように、少なくともエッジ部２１ｂ，２１ｄにシール部材９が備えられていることで、システムキッチン５０のシンク５２から飛び跳ねた水が、システムキッチン５０と壁との間に浸入するのを防止できるので、これらシステムキッチン５０や壁が腐食等で劣化するのを抑制できる。また、このようなシール部材としても、上記のシール部材８と同様、従来公知の防水材料からなるものを、何ら制限無く用いることができる。
【００５２】
次に、図３に示すようなシンク１５２及びレンジ１５３を備えるシステムキッチン１５０のカウンター部１５１のリフォームに適用可能なカウンターカバー１１について説明する。なお、以下のカウンターカバー１１に関する説明において、図１及び図２（ａ）〜（ｄ）に示すカウンターカバー１と共通する構成については、その詳細な説明を省略することがある。
【００５３】
図３及び図４（ａ）〜（ｃ）に例示するカウンターカバー１１は、図１及び図２（ａ）〜（ｄ）に示したカウンターカバー１と同様、天板部１２に、システムキッチン１５０に備えられるシンク１５２に対応する位置で、このシンク１５２を露出させるシンク用貫通孔１２Ａが設けられている。さらに、カウンターカバー１１は、レンジ１５３に対応する位置で、このレンジ１５３を露出させてその機能を維持するためのレンジ用貫通孔１２Ｂが設けられている点で、図１及び図２（ａ）〜（ｄ）に示したカウンターカバー１とは相違している。
【００５４】
図３及び図４（ａ）〜（ｃ）に示すカウンターカバー１１には、図１及び図２（ａ）〜（ｄ）に示したカウンターカバー１と同様、天板部１２のエッジ部１２ａから下方に向けて延出する前板部１３と、天板部１２のエッジ部１２ｂから上方に向けて延出・立設されるバックガード部１５とが備えられている。また、カウンターカバー１１の天板部１２には、図示略の水栓蛇口を露出させるための水栓貫通孔１２Ｃが設けられている。一方、図示例のカウンターカバー１１は、リフォーム対象となるシステムキッチン１５０の幅方向両面側が図示略の壁に接する構成のため、横板部が備えられていない点で、図１及び図２（ａ）〜（ｄ）に示したカウンターカバー１とは相違している。
【００５５】
また、カウンターカバー１１には、カウンターカバー１の場合と同様に、シンク用貫通孔１２Ａのエッジ部に図示略のシール部材が備えられていることが、カウンター部１５１とカウンターカバー１１との間に水が浸入するのを防止できる観点から好ましい。さらに、天板部１２において、システムキッチン１５０が近接設置される図示略の壁に対応する位置のエッジ部１２ｂ，１２ｃ，１２ｄに図示略のシール部材が備えられていることが、システムキッチン５０と壁との間に水が浸入するのを防止できる観点から好ましい。
【００５６】
上記構成のカウンターカバー１１によれば、カウンターカバー１と同様、カウンター部１５１の上に被せて取り付けることで、外観が劣化した表面１５１Ａを覆い隠すことにより、美麗な外観にリフォームすることができる。さらに、カウンターカバー１１によれば、バックガード部１５を備えることで、システムキッチン１５０の後方に位置する図示略の壁を覆い隠すことができ、システムキッチン１５０の周辺部も美麗な外観にリフォームすることができる。
【００５７】
上記構成のカウンターカバー１１をカウンター部１５１に取り付けるときは、カウンターカバー１の場合と同様に、システムキッチン１５０の上方から、カウンター部１５１に覆い被せるように設置することで取り付けることができる。即ち、カウンターカバー１１によれば、カウンターカバー１と同様、複雑な工事を伴うことなく、簡便な方法で安価にカウンター部１５１のリフォームを行うことが可能になる。
【００５８】
また、カウンター部１５１に対するカウンターカバー１１の取り付け方法としても、上述したような接着の他、滑り止めシートを介在させた方法、あるいはスペーサー部材を介在させた方法を、何ら制限無く採用することができる。
【００５９】
なお、図３及び図４（ａ）〜（ｃ）に示すカウンターカバー１１は、シンク用貫通孔１２Ａが形成された領域とレンジ用貫通孔１２Ｂが形成された領域とが一体化されているが、このような場合、カウンターカバー１１が比較的大型となり、取り扱い性、即ち、運搬性やリフォーム作業性が低下する場合も考えられる。このため、本実施形態では、例えば、カウンターカバー１１を図３中に示す分割ラインＢで分割し、シンク用貫通孔１２Ａが形成された領域とレンジ用貫通孔１２Ｂが形成された領域の２つの小型部材に分割した構成としてもよい。このような構成を採用することで、リフォーム作業を行う際の運搬性やリフォーム作業性が向上する効果が得られる。
【００６０】
＜カウンターシステムのリフォーム方法＞
本実施形態のカウンターシステムのリフォーム方法は、上述した構成のリフォーム用カウンターカバー１，１１を用いて、既存のシステムキッチン（カウンターシステム）５０，１５０に備えられるカウンター部５１，１５１の表面５１Ａ，１５１Ａを覆うことで、このカウンター部５１，１５１を美麗にリフォームする方法である。
【００６１】
以下、本実施形態のリフォーム方法について、図１及び図２（ａ）〜（ｄ）に示すカウンターカバー１を用いて、図１及び図６に示すようなシステムキッチン５０に備えられるカウンター部５１をリフォームする場合を例に挙げて説明する。
まず、カウンター部５１に対してカウンターカバー１を接着によって取り付ける場合には、予め、カウンターカバー１の天板部２の裏面２Ｂ、又は、カウンター部５１の表面の複数箇所に、接着剤を付着させておくか、あるいは、両面テープを貼着した状態とする。
また、カウンターカバー１を、カウンター部５１に対して滑り止めシートを介して設置する場合には、予め、天板部２の裏面２Ｂに複数箇所に、図示略の滑り止めシートを接着した状態とする。
また、カウンターカバー１を、カウンター部５１に対して、図５中に示すようなスペーサー部材７を介して取り付ける場合には、予め、カウンター部５１の上面５１ａにおける複数箇所にスペーサー部材７を配置した状態とし、必要に応じて接着する。この際、カウンター部５１の表面５１Ａが凹凸形状とされている場合には、スペーサー部材７を構成する積層体から、必要に応じて、樹脂シートを１枚単位で適宜剥離・除去することにより、カウンターカバー１とカウンター部５１との間にがたつき等が生じないよう、スペーサー部材７の厚み寸法を調整する。
【００６２】
そして、カウンターカバー１をシステムキッチン５０の上方から、カウンター部５１に覆い被せるように設置する。
この際、カウンターカバー１又はカウンター部５１の何れか一方に、予め接着剤又は両面テープを配置した場合には、カウンターカバー１がカウンター部５１に接着されて取り付けられた状態となる。
また、カウンターカバー１の天板部２の裏面２Ｂに、予め滑り止めシートを接着した場合には、カウンターカバー１は、滑り止めシートによって水平方向の動きが抑制された状態でカウンター部５１上に載置された状態となる。
また、カウンター部５１の上面５１ａに、予めスペーサー部材７を配置した場合には、カウンターカバー１は、スペーサー部材７を介してカウンター部５１上に載置されるか、あるいは接着された状態となる。
【００６３】
さらに、本実施形態のリフォーム方法においては、設置後のカウンターカバー１の位置を微調整することで、カウンター部５１の形状に合わせた位置に最適化することが好ましい。
【００６４】
本実施形態のリフォーム方法によれば、上記のカウンターカバー１，１１をカウンター部５１，１５１に取り付けてリフォームを行う方法なので、複雑な工事を伴うことなく、簡便且つ安価な方法で、汚れや傷み等の外観劣化が進んだカウンター部５１，１５１の表面を覆い隠し、美麗な外観にリフォームすることが可能になる。
【００６５】
＜作用効果＞
以上説明したように、本実施形態の本発明に係るリフォーム用カウンターカバー１，１１によれば、既存のカウンターシステムであるシステムキッチン５０，１５０に備えられるカウンター部５１，１５１の表面５１Ａ，１５１Ａにおいて汚れや傷み等の外観劣化が進んだ場合に、カウンター部５１，１５１の上に被せて取り付けることで、劣化した表面５１Ａ，１５１Ａを覆い隠し、美麗な外観にリフォームすることができる。これにより、複雑な工事を伴うことなく、簡便な方法で安価にカウンター部５１，１５１のリフォームを行うことが可能になる。
また、本実施形態のカウンターシステムのリフォーム方法によれば、本発明に係るリフォーム用カウンターカバー１，１１を用いてリフォームを行う方法なので、上記同様、複雑な工事を伴うことなく、簡便な方法で安価にカウンター部５１，１５１のリフォームを行うことが可能になる。
【００６６】
なお、本実施形態においては、リフォーム用カウンターカバーが適用されるカウンターシステムとして、カウンター部５１，１５１を備えるシステムキッチン５０，１５０を例に挙げて説明しているが、これには限定されず、例えば、上述したような受付用カウンターや洗面台等に適用することも可能であり、この場合においても上記同様の効果が得られる。
【００６７】
＜その他＞
上記で説明した実施形態における各構成及びそれらの組み合わせ等は一例であり、本発明の趣旨を逸脱しない範囲で、構成の付加、省略、置換、及びその他の変更が可能である。また、本発明は各実施形態によって限定されることはなく、特許請求の範囲によってのみ限定される。
【符号の説明】
【００６８】
１，１１…リフォーム用カウンターカバー（カウンター用カバー）、
２，１２…天板部、
２Ｂ…裏面、
２１，２１ａ，２１ｂ，２１ｃ，２１ｄ，１２ａ，１２ｂ，１２ｃ，１２ｄ…エッジ部、
３，１３…前板部、
２２，１２Ａ…シンク用貫通孔、
２２ａ…縁部、
１２Ｂ…レンジ用貫通孔、
１２Ｃ…水栓貫通孔、
４…横板部、
５，１５…バックガード部、
７…スペーサー部材
８…シール部材、
９…シール部材、
５０，１５０…システムキッチン（カウンターシステム）、
５１，１５１…カウンター部、
５１Ａ，１５１Ａ…表面、
５１Ｂ…凸部、
５１ａ…上面    
５１ｂ…前面
５１ｃ，５１ｄ…側面
５２，１５２…シンク、
１５３…レンジ
Ｂ…分割ライン。
【図１】
0006596788.tif 000002
【図２】
0006596788.tif 000003
【図３】
0006596788.tif 000004
【図４】
0006596788.tif 000005
【図５】
0006596788.tif 000006
【図６】
0006596788.tif 000007